(57)【要約】      （修正有）【課題】踵部の編成時に編地が前後のニードルベッドの間に挟まることを抑制可能な、踵付靴下、及びその編成方法を提供する。【解決手段】本発明の踵付靴下１００は、踵部３に外側へ膨出する第１膨出部３１と第２膨出部３２とを備える。第１膨出部３１、及び第２膨出部３２は、編糸がコース方向の両端で折り返すとともに、靴下１００のつま先側から履き口側に向かって徐々に編み幅が縮小する膨出部下側部３１１，３２１と、膨出部下側部３１１，３２１の履き口側に連続し、つま先側から履き口側に向かって徐々に編み幅が拡大する膨出部上側部３１２，３２２とを備え、膨出部下側部３１１，３２１と膨出部上側部３１２，３２２がコース方向の両端で編合されている。そして、第１膨出部と第２膨出部のウエール方向の間に、靴下の踵から甲に跨って輪状に形成された中輪状部３３を備える。【選択図】図２
2018090917.tif 000002
【特許請求の範囲】
【請求項１】
踵部に外側へ膨出する膨出部を備えた横編組織からなる靴下であって、
ウエール方向に並ぶ第１膨出部と第２膨出部とからなる２つの膨出部を備え、
前記膨出部は、編糸がコース方向の両端で折り返すとともに、靴下のつま先側から履き口側に向かって徐々に編み幅が縮小する膨出部下側部と、前記膨出部下側部の前記履き口側に連続して設けられ、コース方向の両端で編糸が前記膨出部下側部両端に編合されて折り返すとともにつま先側から履き口側に向かって徐々に編み幅が拡大する膨出部上側部とを備え、
第１膨出部と第２膨出部のウエール方向の間に、靴下の踵から甲に跨って輪状に形成された中輪状部を備えることを特徴とする踵付靴下。
【請求項２】
前記膨出部は、各コースが、表糸に裏糸が添えられてコース方向にループとミス目を交互に並べるように設けられており、ウエール方向に隣接する２つのコースが、互いのループをコース方向に交互に並べるよう重ねられている請求項１に記載の踵付靴下。
【請求項３】
前後で一対のニードルベッドを備えた横編み機の前後のニードルベッドの編針に編み糸を給糸して踵部に外側へ膨出する膨出部を備えた靴下を編成する踵付靴下の編成方法であって、
踵部を編成する踵部編成工程を備え、
前記踵部編成工程は、膨出部を編成する膨出部編成工程を少なくとも２回有し、
前記膨出部編成工程は、前後のニードルベッドのうち一方のニードルベッドを用いて給糸方向を折返しながら、かつ、徐々に給糸する編針の数を減らしながら、膨出部下側部を編成する膨出部下側部編成工程と、前記膨出部下側部編成工程に続けて、給糸方向を折返しながら、かつ、徐々に給糸する編針の数を増やしながら前記膨出部下側部に両端が編合するように膨出部上側部を編成する膨出部上側部編成工程と、を含み、
前記２回の膨出部編成工程の間に、前後のニードルベッドの編針に給糸して、靴下の踵側から甲側に輪状に跨る中輪状部を編成する中輪状部編成コースを備えることを特徴とする踵付靴下の編成方法。
【請求項４】
前記膨出部編成工程において、表糸に裏糸を添えて、ニットとミスを交互に繰り返すように、かつ、直前に編成したコースのミスした編針でニットするようにして各コースを編成する請求項３に記載の踵付靴下の編成方法。
【発明の詳細な説明】
【技術分野】
【０００１】
この発明は、着用者の踵を収容するために、ゴアラインを設けて外側に膨らむよう編成した膨出部を踵部に備える踵付靴下に関し、特に、Ｙ字状のゴアラインを有するいわゆるＹヒールのように、かかる膨出部を２つ備える靴下に関する。
【背景技術】
【０００２】
従来、横編組織の靴下において着用者の踵に沿って折れ曲がる踵部は、当該踵部のコース方向の両端で給糸方向を変えながら徐々に編み幅を減らしたつま先側の部分と、これに続けて徐々に編み幅を広げた履き口側の部分とをコース方向の両端で編合し外側に突出するよう形成した膨出部が設けられている。
【０００３】
そして、本発明者は、この踵部に和紙糸を用いることに想到したのであるが、和紙糸のようにストレッチ性の少ない糸は、横編み機のキャリッジの往行、復行ともに全針でニットを行う天竺編ができないため、キャリッジの往行で１針置きにニットとミスを繰り返しながら編成し、キャリッジの復行で往行時にミスした編針をニットする編成方法（以下、この編成方法、及びその組織を「片スムース編」という。）に想到する。
【０００４】
ところが、片スムース編により踵部を編成すると、２コースで１コース分の長さになるため、踵が小さくなるという問題が有る。
【０００５】
そこで、本発明者は、この和紙糸を用いた靴下を踵部が小さくならないように踵部に膨出部を２つ備えたＹヒール（特許文献１参照）とすることに想到する。
【先行技術文献】
【特許文献】
【０００６】
【特許文献１】特開２０１１−２５６５０６号公報
【発明の概要】
【発明が解決しようとする課題】
【０００７】
しかし、和紙糸のようにストレッチ性の少ない糸を用いて膨出部を２つ備えたＹヒールを編成しようとすると、前後の一方のニードルベッドで２つの膨出部を編成する間、他方のニードルベッドの編針に甲側の編地のループが係止されたままになるため、横編み機の前後のニードルベッドの間に編成された膨出部が詰まって、編成に不具合が生じる虞がある。
本発明は、かかる課題を鑑みてなされたものであり、踵部に膨出部を２つ設けても、前後のニードルベッドの間に編成中の膨出部が詰まらない踵部付靴下、及びその編成方法の提供を目的とする。
【課題を解決するための手段】
【０００８】
上記課題を解決するためになされた発明は、踵部に外側へ膨出する膨出部を備えた横編組織からなる靴下であって、ウエール方向に並ぶ第１膨出部と第２膨出部とからなる２つの膨出部を備え、前記膨出部は、編糸がコース方向の両端で折り返すとともに、靴下のつま先側から履き口側に向かって徐々に編み幅が縮小する膨出部下側部と、前記膨出部下側部の前記履き口側に連続して設けられ、コース方向の両端で編糸が前記膨出部下側部両端に編合されて折り返すとともにつま先側から履き口側に向かって徐々に編み幅が拡大する膨出部上側部とを備え、第１膨出部と第２膨出部のウエール方向の間に、靴下の踵から甲に跨って輪状に形成された中輪状部を備えることを特徴とする。
ここで、「コース方向」とは靴下の周方向をいい、「ウエール方向」とはコース方向に垂直な方向をいうものとする。
【０００９】
このように、本発明の踵付靴下では、ウエール方向に並ぶ２つの膨出部の間に靴下の全周に跨るよう編成された中輪状部を設けることにより、当該中輪状部の編成時に当該中輪状部より先に編成されて膨出部をニードルベッドの下方へ降ろしてニードルベッドの間に詰まることを抑制できる。
【００１０】
前記膨出部は、各コースが、表糸に裏糸が添えられてコース方向にループとミス目を交互に並べるように設けられており、ウエール方向に隣接する２つのコースが、互いのループをコース方向に交互に並べるよう重ねられているものを含む。このように、片スムース編で膨出部を編成することで、和紙糸のように天竺編の難しいストレッチ性の乏しい糸であっても、天竺編の様にループの並んだ編成組織を形成できる。
【００１１】
本発明に係る踵付靴下の編成方法は、前後で一対のニードルベッドを備えた横編み機の前後のニードルベッドの編針に編み糸を給糸して踵部に外側へ膨出する膨出部を備えた靴下を編成する踵付靴下の編成方法であって、踵部を編成する踵部編成工程を備え、前記踵部編成工程は、膨出部を編成する膨出部編成工程を少なくとも２回有し、前記膨出部編成工程は、前後のニードルベッドのうち一方のニードルベッドを用いて給糸方向を折返しながら、かつ、徐々に給糸する編針の数を減らしながら、膨出部下側部を編成する膨出部下側部編成工程と、前記膨出部下側部編成工程に続けて、給糸方向を折返しながら、かつ、徐々に給糸する編針の数を増やしながら前記膨出部下側部に両端が編合するように膨出部上側部を編成する膨出部上側部編成工程と、を含み、前記２回の膨出部編成工程の間に、前後のニードルベッドの編針に給糸して、靴下の踵側から甲側に輪状に跨る中輪状部を編成する中輪状部編成コースを備えることを特徴とする。
このように、２回の折り曲がり編成工程の間に設けた中輪状部編成工程において、踵部を編成する一方のニードルベッドと反対側の他方のニードルベッドに給糸を行うことで、直前の膨出部編成工程で編成した膨出部をニードルベッドの間から下方へ落として、ニードルベッドの間に挟まることを抑制できる。
【００１２】
本発明に係る踵付靴下の編成方法は、前記膨出部編成工程において、表糸に裏糸を添えて、ニットとミスを交互に繰り返すように、かつ、直前に編成したコースのミスした編針でニットするようにして各コースを編成する方法を含む。
【発明の効果】
【００１３】
以上説明したように、本発明の踵付靴下、及びその編成方法によれば、踵部の編成時に膨出部が横編み機の前後のニードルベッドの間に挟まることを抑制できる。
【図面の簡単な説明】
【００１４】
【図１】本発明の第１実施形態に係る踵付靴下の甲側を示した正面図である。
【図２】本発明の第１実施形態に係る踵付靴下の踵側（足底側）を示した背面図である。
【図３】本発明の第１実施形態に係る踵付靴下の編成方法における下輪状部編成工程の編成図である。
【図４】本発明の第１実施形態に係る踵付靴下の編成方法における第１膨出部編成工程の編成図である。
【図５】本発明の第１実施形態に係る踵付靴下の編成方法における中輪状部編成工程の編成図である。
【図６】本発明の第１実施形態に係る踵付靴下の編成方法における第２膨出部編成工程の編成図である。
【図７】本発明の第１実施形態に係る踵付靴下の編成方法における上輪状部編成工程の編成図である。
【図８】本発明の第２実施形態に係る踵付靴下の編成方法を示す編成図である。
【発明を実施するための形態】
【００１５】
以下、適宜図面を用いながら本発明の実施形態について詳述する。ただし、本発明は以下の実施形態に限られるものではない。また、以下の説明において、靴下のつま先側を下側、履き口側を上側ともいう。
（第１実施形態）
図１、及び図２は、本発明の第１実施形態に係る踵付靴下１００を示す。踵付靴下１００は、前後で一対のニードルベッドを備えた横編み機により編成され、図１に示すように、履き口部１と、レッグ部２と、踵部３と、フット部４と、５本の指袋を備えたつま先部５とを備えている。
【００１６】
履き口部１、レッグ部２は、表糸に合成繊維糸、裏糸にポリウレタン繊維をコアとするシングルカバリングヤーン（ＳＣＹ）（以下単に、「ＳＣＹ」という）を用い、フット部４、及びつま先部５では、甲側の表糸に合成繊維糸を、足裏側の表糸に綿糸を用い、裏糸は、甲側、足裏側ともＳＣＹを用いて、各部適宜の編成方法で編成されている。
【００１７】
踵部３は、図１、及び図２に示すように、第１膨出部３１と、第１膨出部３１とウエール方向に並ぶとともに、第１膨出部３１より履き口側に位置する第２膨出部３２と、第１膨出部３１と第２膨出部３２のウエール方向における間に位置する中輪状部３３と、第１膨出部３１のつま先部５側に隣接する下輪状部３４と、第２膨出部３２の履き口部１側に隣接する上輪状部３５とを有している。上輪状部３５は、甲側上輪状部３５１、及び踵側上輪状部３５２、中輪状部３３は，甲側中輪状部３３１、及び踵側中輪状部３３２、下輪状部３４は、甲側下輪状部３４１、及び踵側下輪状部３４２からなり、踵部３は、便宜上、甲側上輪状部３５１、甲側中輪状部３３１、及び甲側下輪状部３４１も含むものとしている。
【００１８】
甲側上輪状部３５１、甲側中輪状部３３１、及び甲側下輪状部３４１は、表糸の合成繊維糸に裏糸としてＳＣＹを添えて編成され、両端でコース方向に折り返しながら天竺編に編成されている。
【００１９】
踵部３の踵側となる第１膨出部３１、第２膨出部３２、踵側中輪状部３３２、踵側下輪状部３４２、及び踵側上輪状部３５２は、綿糸を表糸とし、甲側と同じＳＣＹに和紙糸を引き揃えたものを裏糸として編成され、１針置きにニットとミスを繰り返すことで１目置きにループとループのないミス目とが設けられた隣接する２つのコースのうち一方のコースのループを他方のコースのミス目に重ねて、全針でニットした天竺編と同じようにループの並んだ片スムース編組織を有している。
【００２０】
第１膨出部３１は、図２に示すように、第１膨出部下側部３１１と第１膨出部上側部３１２とからなり、第２膨出部３２は、第２膨出部下側部３２１と第２膨出部上側部３２２とからなる。
第１膨出部下側部３１１と、第２膨出部下側部３２１は、下側から上側に向かって徐々にコース方向の編み幅を縮小させるよう編成されている。第１膨出部上側部３１２と、第２膨出部上側部３２２は、それぞれ第１膨出部下側部３１１と、第２膨出部下側部３２１の上側に連続して下側から上側に向かってコース方向の編み幅が徐々に拡大するよう設けられ、両端が、それぞれ、第１膨出部下側部３１１、及び第２膨出部下側部３２１の両端にループにより編合されて、それぞれ左右一対の第１ゴアライン３１３、第２ゴアライン３２３が形成されている。
【００２１】
（踵部３の編成方法）
次に、踵部３の編成方法を説明する。踵付靴下１００は、つま先部５から編成してもよいし、履き口部１から編成してもよいが、ここでは、つま先部５から編成することとし、踵部３を、フット部４の編成に続けて、下輪状部３４、第１膨出部３１、中輪状部３３、第２膨出部３２、上輪状部３５の順に編成する方法について説明する。
踵部３の編成は、４つのキャリアＦ１〜Ｆ４を用い、キャリアＦ１から甲側の表糸に用いる合成繊維糸を給糸し、キャリアＦ２から甲側の裏糸となるＳＣＹを給糸し、キャリアＦ３から踵側の表糸となる綿糸を給糸し、キャリアＦ４から踵側の裏糸としてＳＣＹに和紙糸を引き揃えた合糸を給糸して行う。
【００２２】
（下輪状部編成工程Ｓ１）
図３は、下輪状部３４の編成図を示している。図３乃至図７の編成図において、符号Ａは綿糸を表糸としＳＣＹに和紙糸を引き揃えた合糸を裏糸とすべく連携するヤーンキャリアＦ３、及びＦ４の組（以下、キャリア組Ａ」という。）を示し、符号Ｂは、合成繊維糸を表糸としＳＣＹを裏糸とすべく連携して給糸するヤーンキャリアＦ１、及びＦ２の組（以下、「キャリア組Ｂ」という。）を示す。
また、編成方法の欄の記号●は、キャリア組Ａから前側ニードルベッドＦの編糸に給糸して行うニット操作（以下、「Ａの前ニット」のようにいう。）を示し、記号◆、▲、▼、〇、◇、△、▽、━、は、それぞれ、Ａの後ニット、Ａの前タック、Ａの後タック、Ｂの前ニット、Ｂの後ニット、Ｂの前タック、Ｂの後タック、及びミス操作を示す。また、工程Ｓ１０１，Ｓ１０２，…は、キャリッジの右行、又は左行の１回分を示し、右向きの矢印、及び左向きの矢印はそれぞれ、キャリッジの左行、及び右行を示す。
【００２３】
下輪状部３４は、図３に示すように、まず工程Ｓ１０１において、キャリッジを右行させながらキャリア組Ａにより給糸して、後側ニードルベッドＲの編針ａ、編針ｂでニット（◆）したのち、編針ｃから編針ｂｂまでミス（━）とニット（◆）を１針ごとに繰り返しながら、コースＣ１のうち踵側下輪状部３４２となる半周分を編成する。
【００２４】
続けて、工程Ｓ１０２で、キャリッジを折り返して左行させ、前側のニードルベッドＦの編針ｂｂでタック（△）したのち、編針ａａから編針ｂまで全針に給糸してニット（○）操作を行って、コースＣ１のうち甲側下輪状部３４１となる半周分を編成する。こうして工程Ｓ１０１と工程Ｓ１０２とで下輪状部３４の甲側から踵側に跨って１周するコースＣ１が編成される。
【００２５】
次に、工程Ｓ１０３から工程Ｓ１０８で第２コースＣ２を編成する。
即ち、工程Ｓ１０３でキャリッジを右行させながらキャリア組Ａから編糸を給糸して前側のニードルベッドＦの編針ａでニット（●）操作を行い、工程Ｓ１０４で、キャリッジを折り返して左行させ、キャリア組Ａから前側のニードルベッドＦの編針ｂでタック（▲）操作を、編針ａでニット（●）操作を行って、踵側の編糸を甲側の編糸に繋ぐ繋ぎ目操作を行ったのち、工程Ｓ１０５でキャリッジを右行させ、キャリア組Ａから給糸しながら後側のニードルベッドＲの編針ａから編針ｂｂまで１針置きにニット（◆）とミス（━）を繰り返してコースＣ２のうち踵側下輪状部側となる半周分を編成する。
工程Ｓ１０５では、工程Ｓ１０１でミス（━）操作を行った編針ｃ、ｅ、ｇ、…、ａａでニット（◆）操作を行い、工程Ｓ１０１でニット（◆）操作を行った編針、ｂ、ｄ、…、ｂｂでミス（━）操作を行い、工程Ｓ１０１のニット（◆）操作で形成したループと、工程Ｓ１０５のニット（◆）操作で形成したループとが天竺編の同じコース状に並ぶループのように１直線に並ぶ片スムース編に編成する。
【００２６】
続けて、工程Ｓ１０６と工程Ｓ１０７とで、踵側を編成するキャリア組Ａの編糸を前側のニードルベッドＦの編針ｂｂ、ａａに給糸して、踵側の編糸を甲側の編糸に繋ぐ繋ぎ目処理を行った後、キャリッジを左側に戻したのち右行させて、キャリア組Ｂから編糸を給糸しながら、前側のニードルベッドＦの編針ａでタック（△）操作を行い、編針ｂから編針ａａまで全針でニット（○）操作を行う。工程Ｓ１０８では、工程Ｓ１０２の操作により、キャリア組Ｂがニードルベッドの左側に待機しているため、キャリッジの右行により編成を行う。
尚、工程Ｓ１０３から工程Ｓ１０８において、キャリアを編成範囲から逃すために、キャリッジを転換しながら編針のミス操作を行う工程は、便宜上、省略している。
【００２７】
以下、適宜、繋ぎ目処理操作を行いながら、工程Ｓ１０９から工程Ｓ１２３で、コースＣ３からコースＣ５を編成する。
【００２８】
（第１膨出部編成工程Ｓ２）
下輪状部編成工程Ｓ１に続けて、第１膨出部編成工程Ｓ２を行う。第１膨出部編成工程Ｓ２では、図４に示すように、全ての工程でキャリア組Ａと後側のニードルベッドＲを用いて編成を行う。まず、工程Ｓ２０１では、キャリッジを右行させながら、編針ｂをニット（◆）させたのち、編針ｃから編針ｂｂまで、１針置きにニット（◆）とミス（━）を繰り返してコースＣ６を編成する。
続けて、工程Ｓ２０２では、キャリッジを折り返して左行させ、編針ｂｂをタック（▼）させ、編針ａａをニット（◆）させたのち、編針ｚから編針ｂまで、ニット（◆）とミス（━）を１針置きに繰り返してコースＣ７を編成する。工程Ｓ２０２では、工程Ｓ２０１でミス（━）操作を行った編針ｄ、ｆ、ｈ、…、ｚでニット（◆）操作を行い、工程Ｓ２０１でニット（◆）操作を行った編針、ｂ、ｄ、ｆ、…、ｂｂでミス（━）操作を行い、コースＣ６のループと、コースＣ７のループとが天竺編の同じコース状に並ぶループのように１直線に並ぶ片スムース編に編成する。
尚、第１膨出部、及び第２膨出部では、キャリッジの往行、又は復行で編成される範囲を１コースとしていることに注意されたい。
【００２９】
次に、工程Ｓ２０３では、キャリッジを右行させ、最初の編針ｂでタック（▼）操作を行い、編針ｃから編み針ｙまでニット（◆）とミス（━）を１針置きに繰り返し、編針ｚと編針ａａをそれぞれニット（◆）、ミス（━）してコースＣ８を編成したのち、続く工程Ｓ２０４では、コース方向の編み幅を１目分縮小すべく編み針ｂｂには給糸しないでキャリッジを左へ折返し、編針ａａでタック（▼）操作を行い、続けて編針ｚから編針ｃまでニット（◆）とミス（━）を１針置きに繰り返してコースＣ９を編成する。
【００３０】
以下、工程Ｓ２０５から工程Ｓ２１４まで、１針ずつ編み幅を縮小しながら、コースＣ１０からコースＣ１９を編成する。コースＣ６からコースＣ１９が膨出部下側部３１１に相当する。
【００３１】
次に、工程Ｓ２１５から工程Ｓ２２８まで、ニット（◆）とミス（━）を概ね交互に繰り返しながら、かつコース方向の編み幅を１針ずつ増やして、コースＣ２０からコースＣ３３を編成する。コースＣ２０からコースＣ３３が膨出部上側部３１２に相当し、コース方向を折り返す際のタック（▼）操作とニット（◆）操作により形成されるループにより、膨出部下側部３１１と膨出部上側部３１２がコース方向の両端で編合されて、左右一対のゴアライン３１３，３１３が形成される。
【００３２】
（中輪状部編成工程Ｓ３）
第１膨出部編成工程Ｓ２に続けて、中輪状部編成工程Ｓ３を行う。中輪状部編成工程Ｓ３では、図５に示したように、まず、工程Ｓ３０１で、キャリッジを右行させながら、キャリア組Ａにより後側のニードルベッドＲに給糸して、編針ａでタック（▼）、編針ｂでニット（◆）操作を行ったのち、編針ｃから編針ｂｂまで１針置きにニット（◆）とミス（━）を繰り返し、工程Ｓ３０２と工程Ｓ３０３で、踵側の編糸を甲側の編糸に連結する繋ぎ目処理を行って、コースＣ３４のうち踵側中輪状部３３２に含まれる半周分を編成する。続けて工程Ｓ３０４で、キャリッジを左端に戻したのち右行させながら、キャリア組Ｂにより前側のニードルベッドＦに給糸して、編針ａでタック（△）したのち、編針ｂから編針ａａまで全針でニット（○）操作を行って、コースＣ３４のうち甲側中輪状部３３１に含まれる半周分を編成する。こうして、工程Ｓ３０１から工程Ｓ３０４で、甲側中輪状部３３１から踵側中輪状部３３２に跨って踵部３の周囲を１周するコースＣ３４を編成する。
【００３３】
しかる後、工程Ｓ３０５からＳ３０７では、コースＣ３４と甲側と踵側の順序を入れ替えて、かつ給糸方向を逆にしてコースＣ３５を編成する。以下同様に、甲側と踵側の順序と給糸方向を入れ替えながら、コースＣ３６〜３８を編成する。
【００３４】
（第２膨出部編成工程Ｓ４）
中輪状部編成工程Ｓ３が完了すると、続けて第２膨出部編成工程Ｓ４を実施する。図６に示すように、第２膨出部編成工程Ｓ４でも、第１膨出部編成工程Ｓ２と同様の編成を行い、片スムース編に編成する。第２膨出部編成工程Ｓ４では、第１膨出部編成工程Ｓ２より編み幅を小さく、かつコース数を少なくして、第２膨出部の大きさが第１膨出部より小さくなるよう編成される。コースＣ３９からコースＣ４３が膨出部下側部３２１に該当し、コースＣ４４からコースＣ４９が膨出部上側部３２２に該当し、膨出部上側部３２２のコース方向の両端を膨出部下側部３２１の両端に編合することでゴアライン３２３が形成される
【００３５】
（上輪状部編成工程Ｓ５）
第２膨出部編成工程Ｓ４に続けて、図７に示した上輪状部編成工程Ｓ５を行う。上輪状部編成工程Ｓ５においても、下輪状部編成工程Ｓ１、及び中輪状部編成工程Ｓ３と同様に踵側上輪状部３５２は、Ａのキャリア組を用いて片スムース編を行い、甲側上輪状部３５１は、Ｂのキャリア組を用いて天竺編を行う。
【００３６】
以上、第１実施形態に係る編成方法によると、第１膨出部編成工程Ｓ２では後側のニードルベッドＲのみを用いて編成を行うため、前側のニードルベッドＦの編針に係留したループは、第１膨出部編成工程Ｓ２の間、ずっと編針に係留したままであり、第１膨出部編成工程Ｓ２の終了直後は、編成された第１膨出部３１は、前後のニードルベッドの間に滞留したままとなっている。続けて、第２膨出部編成工程Ｓ４を実施しようとすると、さらに前後のニードルベッドの間に滞留する編地の量が増大して、キャリッジや編針の動作に支障を来すため、第１膨出部編成工程Ｓ２の後、第２膨出部編成工程Ｓ４を行う前に中輪状部編成工程Ｓ３を設けて、前側のニードルベッドＦでも編成を行うことで、前後のニードルベッドの間に滞留した第１膨出部３１を下降させて、前後のニードルベッドの間に編地が挟まることを抑制できる。
【００３７】
（第２実施形態）
図８は、本発明の第２実施形態に係る踵付靴下２００の編成方法を示している。踵付靴下２００の踵部３は、甲側、踵側ともに表糸に和紙糸を用い、裏糸にＳＣＹを用い、下輪状部編成工程２Ｓ１、第１膨出部編成工程２Ｓ２、中輪状部編成工程２Ｓ３、第２膨出部編成工程２Ｓ４編成、及び上輪状部２Ｓ５の順に編成を行う。尚、第２実施形態においても、靴下各部の符号として、第１実施形態と共通の符号を用いる。
【００３８】
第２実施形態における中輪状部編成工程２Ｓ３は、第１実施形態の中輪状部編成工程Ｓ３と異なり、全行程２Ｓ３０１から２Ｓ３０４まで、前後のニードルベッドの編成範囲の編針に対し、周回方向を折り返すことなく編糸を給糸する。前側のニードルベッドＦでは編成範囲の全針に給糸して天竺編に編成し、後側のニードルベッドＲでは、編成範囲における編針の１針置きにニット（◆）とミス（━）を繰り返す片スムース編に編成して中輪状部３３を編成する。
【００３９】
尚、第１膨出部編成工程２Ｓ２、及び第２膨出部編成工程２Ｓ４では、それぞれ第１実施形態の第１膨出部編成工程Ｓ２、及び第２膨出部編成工程Ｓ４と同様に、両端で給糸方向を変えながらスムース編に編成する。
【００４０】
本発明の踵付靴下、及びその編成方法は、上記の実施形態に限らず、踵部の甲側は、天竺編に限らず、踵部の踵側は、片スムース編に限らず、公知の編成組織、編成方法を適宜に用いることができる。また、本発明の踵付靴下は、和紙糸を用いずに編成することもできる。
【符号の説明】
【００４１】
踵付靴下１００，２００
踵部３
第１膨出部（膨出部）３１
膨出部下側部３１１，３２１
膨出部上側部３１２，３２２
中輪状部３３
【図１】
2018090917.tif 000003
【図２】
2018090917.tif 000004
【図３】
2018090917.tif 000005
【図４】
2018090917.tif 000006
【図５】
2018090917.tif 000007
【図６】
2018090917.tif 000008
【図７】
2018090917.tif 000009
【図８】
2018090917.tif 000010